(57)【特許請求の範囲】
【請求項１】
本体と、
前記本体を支持するスタンドと、
前記本体に設けられ、第１端部及びこの第１端部の反対側の第２端部を有する第１支持板と、前記第１支持板と対向し前記第１端部の側から前記第２端部の側に向けて前記第１支持板に近づくように前記第１支持板に対して傾斜する第１ガイド面とを備える第１支持具と、
前記スタンドに設けられるとともに前記第１端部の側から前記第１支持板及び前記第１ガイド面の間に挿入され、挿入時に前記第１ガイド面に案内される第２ガイド面と、前記第１支持板に接続される第２支持板とを備える第２支持具と、
を備える電子機器。
【請求項２】
前記本体は、前記第１ガイド面を挟んで前記第１支持板と対向する壁部を備え、
前記第１支持具は、前記第１支持板と前記壁部との間を塞ぐ、互いに対向する一対の第１側板をさらに備え、これら第１側板を介して前記壁部に取り付けられている、
請求項１に記載の電子機器。
【請求項３】
前記本体は、
映像を表示する表示面を有した表示パネルと、
前記表示パネルの前記表示面と反対側の面を覆うシャーシと、
を備え、
前記壁部は、前記シャーシの一部である、
請求項２に記載の電子機器。
【請求項４】
前記第１支持具は、前記第２端部と前記壁部との間を塞ぐ天板をさらに備え、
前記第１支持板は、開口部を有し、
前記第２支持板は、前記第２支持板の先端が前記天板に接触した状態で前記開口部と対向する雌ねじを有し、
前記開口部を通して雄ねじを前記雌ねじにねじ込むことで、前記第１支持板と前記第２支持板とが接続される、
請求項２又は３に記載の電子機器。
【請求項５】
前記第１支持具は、前記第１端部と前記壁部の間を除き前記第１支持具と前記壁部の間を前記天板及び前記一対の第１側板が覆う箱状に形成されている、
請求項４に記載の電子機器。
【請求項６】
前記第１支持板、前記一対の第１側板、及び前記天板は、１枚の金属板を曲げることにより形成されている、
請求項４又は５に記載の電子機器。
【請求項７】
前記第１支持具は、前記一対の第１側板の各々に沿って設けられた一対の前記第１ガイド面を備える、
請求項２乃至６のうちいずれか１項に記載の電子機器。
【請求項８】
前記一対の第１ガイド面は、前記一対の第１側板の一部をそれぞれ他方の前記第１側板の側に曲げることで形成されている、
請求項７に記載の電子機器。
【請求項９】
前記第１ガイド面は、前記天板の一部を前記第１端部の側に曲げることで形成されている、
請求項４乃至６のうちいずれか１項に記載の電子機器。
【請求項１０】
前記一対の第１側板の各々は、スリットを有し、
前記第１支持具は、各前記スリットに挿入される一対の突起と、前記第１ガイド面とを備えるとともに、前記一対の突起を各前記スリットに挿入することで前記一対の第１側板に接続されるガイド部材をさらに備える、
請求項２乃至６のうちいずれか１項に記載の電子機器。
【請求項１１】
前記第１支持板は、前記第１端部の側に、先端に向かうに連れて前記壁部から離れるように傾斜した第１傾斜部を備える、
請求項２乃至１０のうちいずれか１項に記載の電子機器。
【請求項１２】
前記一対の第１側板の少なくとも一方は、前記第１端部の側に、先端に向かうに連れて他方の前記第１側板から離れるように傾斜した第２傾斜部を備える、
請求項２乃至１１のうちいずれか１項に記載の電子機器。
【請求項１３】
前記第２支持具は、前記第２支持板の一対の側部の各々に接続されるとともに互いに対向する一対の第２側板をさらに備え、
前記第２ガイド面は、前記一対の第２側板の各々に設けられている、
請求項１乃至１２のうちいずれか１項に記載の電子機器。
【請求項１４】
前記一対の第２側板の少なくとも一方は、先端に向かうに連れて他方の前記第２側板に近づくように傾斜した第３傾斜部を備える、
請求項１３に記載の電子機器。
【請求項１５】
電子機器の本体に設けられ、第１端部及びこの第１端部の反対側の第２端部を有する第１支持板と、前記第１支持板と対向し前記第１端部の側から前記第２端部の側に向けて前記第１支持板に近づくように前記第１支持板に対して傾斜する第１ガイド面とを備える第１支持具と、
前記本体を支持するスタンドに設けられるとともに前記第１端部の側から前記第１支持板及び前記第１ガイド面の間に挿入され、挿入時に前記第１ガイド面に案内される第２ガイド面と、前記第１支持板に接続される第２支持板とを備える第２支持具と、
を備える支持構造。
【請求項１６】
前記第１支持具は、前記電子機器の本体が備える壁部に、前記第１支持板が前記第１ガイド面を挟んで当該壁部と対向するように取り付けられ、
さらに、前記第１支持具は、前記第１支持板と前記壁部との間を塞ぐ、互いに対向する一対の第１側板を備える、
請求項１５に記載の支持構造。
【請求項１７】
前記第１支持具は、前記第２端部と前記壁部との間を塞ぐ天板をさらに備え、
前記第１支持板は、開口部を有し、
前記第２支持板は、前記第２支持板の先端が前記天板に接触した状態で前記開口部と対向する雌ねじを有し、
前記開口部を通して雄ねじを前記雌ねじにねじ込むことで、前記第１支持板と前記第２支持板とが接続される、
請求項１６に記載の支持構造。
【請求項１８】
前記第１支持具は、前記第１端部と前記壁部の間を除き前記第１支持具と前記壁部の間を前記天板及び前記一対の第１側板が覆う箱状に形成されている、
請求項１７に記載の支持構造。
【請求項１９】
前記第１支持具は、前記一対の第１側板の各々に沿って設けられた一対の前記第１ガイド面を備える、
請求項１６乃至１８のうちいずれか１項に記載の支持構造。
【請求項２０】
前記第２支持具は、前記第２支持板の一対の側部の各々に接続されるとともに互いに対向する一対の第２側板をさらに備え、
前記第２ガイド面は、前記一対の第２側板の各々に設けられている、
請求項１５乃至１９のうちいずれか１項に記載の支持構造。
【発明の詳細な説明】
【技術分野】
【０００１】
本発明の実施形態は、電子機器及び支持構造に関する。
【背景技術】
【０００２】
例えば映像表示装置などの電子機器は、ディスプレイを備える本体と、この本体を載置面に対して支持するスタンドとを備えている。このような電子機器において、本体とスタンドとを取り付ける際の作業性の向上が求められている。
【先行技術文献】
【特許文献】
【０００３】
【特許文献１】特開２００９−７５１６６号公報
【発明の概要】
【発明が解決しようとする課題】
【０００４】
本発明が解決しようとする課題は、電子機器の本体とスタンドとを取り付ける際の作業性を向上させることである。
【課題を解決するための手段】
【０００５】
一実施形態に係る電子機器は、本体と、上記本体を支持するスタンドと、上記本体に設けられる第１支持具と、上記スタンドに設けられる第２支持具とを備える。上記第１支持具は、第１端部及びこの第１端部の反対側の第２端部を有する第１支持板と、上記第１支持板と対向し上記第１端部の側から上記第２端部の側に向けて上記第１支持板に近づくように上記第１支持板に対して傾斜する第１ガイド面とを備える。上記第２支持具は、上記第１端部の側から上記第１支持板及び上記第１ガイド面の間に挿入され、挿入時に上記第１ガイド面に案内される第２ガイド面と、上記第１支持板に接続される第２支持板とを備える。
【図面の簡単な説明】
【０００６】
【図１】図１は、第１実施形態に係る電子機器の一例を示す正面図である。
【図２】図２は、上記電子機器の背面側の一例を示す斜視図である。
【図３】図３は、ユニットカバーが取り外された上記電子機器の背面側の一例を示す斜視図である。
【図４】図４は、第１実施形態に係る第１支持具の一例を概略的に示す斜視図である。
【図５】図５は、第１実施形態に係る第１支持具を図４とは異なる方向から見た斜視図である。
【図６】図６は、第１実施形態に係る第２支持具の一例を概略的に示す斜視図である。
【図７】図７は、第１実施形態に係る第１支持具及び第２支持具等の概略的な断面を示す図である。
【図８】図８は、第１実施形態に係る第１支持具及び第２支持具等の概略的な断面を示す図である。
【図９】図９は、第２実施形態に係る第１支持具の構成例を示す斜視図である。
【図１０】図１０は、第３実施形態に係る第１支持具の構成例を示す斜視図である。
【図１１】図１１は、第４実施形態に係る第１支持具の構成例を示す斜視図である。
【図１２】図１２は、第５実施形態に係る第２支持具の構成例を示す斜視図である。
【図１３】図１３は、第６実施形態に係る第２支持具の構成例を示す斜視図である。
【発明を実施するための形態】
【０００７】
いくつかの実施形態につき、図面を参照しながら説明する。  
各実施形態においては、電子機器或いは映像表示装置の一例としてテレビジョン受像装置を開示するとともに、支持構造の一例としてテレビジョン受像装置の本体をスタンドによって支持するための構造を開示する。但し、電子機器は、テレビジョン受像装置に限らず、パーソナルコンピュータ等に接続されるモニタや表示面を備えた車載装置など、他種の機器であっても良い。さらに、各実施形態にて開示する支持構造は、表示面を備えない電子機器に適用することもできる。
【０００８】
（第１実施形態）  
図１は、第１実施形態に係る電子機器１の一例を示す正面図である。この電子機器１は、上述の通りテレビジョン受像装置であって、本体２と、スタンド３とを備えている。本体２は、筐体１０と、表示面１１ａを有する表示パネル１１とを備えている。本明細書においては、説明の便宜上、電子機器１の表示面１１ａが設けられる側を「正面」、その反対側を「背面」と呼ぶことがある。また、表示面１１ａに対峙するユーザから見て左側を「左」、このユーザから見て右側を「右」、このユーザから見て上側を「上」、このユーザから見て下側を「下」と呼ぶことがある。
【０００９】
筐体１０は、表示パネル１１を収容する。筐体１０は、矩形状のスクリーン開口１２ａを有したフロントカバー１２を備えている。フロントカバー１２は、フロントベゼル或いはマスクなどと呼ぶこともできる。スクリーン開口１２ａは、表示パネル１１の表示面１１ａを外部に露出させる。表示面１１ａは、ガラス板またはアクリル板のような、透光性を有する板によって覆われても良い。
【００１０】
表示パネル１１は、例えば液晶表示パネルであり、液晶層を挟んで対向する一対の基板と、これら基板に重ねられた光学素子群とを備えている。光学素子群は、例えば散乱板、プリズムシート、及び一対の偏光板などを含む。この表示パネル１１は、後方に配置された発光ダイオードなどの光源からの光を選択的に透過することで、表示面１１ａに動画及び静止画などの映像を表示する。なお、表示パネル１１は、有機エレクトロルミネッセンス素子などの他種の表示素子を用いたパネルであっても良い。
【００１１】
スタンド３は、本体２の下方に取り外し可能に取り付けられる。スタンド３は、例えばテレビ台の天面などの載置面ＳＦに置かれ、本体２を支持する。スタンド３によって支持された本体２は、例えば、表示面１１ａが載置面ＳＦに対して垂直或いは他の角度で傾くように起立する。
【００１２】
図２は、電子機器１の背面側の一例を示す斜視図である。図示した例において、筐体１０は、フロントカバー１２に加え、バックカバー１３と、このバックカバー１３の下方に設けられたユニットカバー１４とを備えている。バックカバー１３は、バックベゼル或いは背面板などと呼ぶこともできる。フロントカバー１２、バックカバー１３、及びユニットカバー１４は、例えばＡＢＳ樹脂のような合成樹脂材料によって形成することができる。
【００１３】
ユニットカバー１４は、ねじ止めによりスタンド３を本体２に取り付けるための取付孔１４Ｌ，１４Ｒを有している。これら取付孔１４Ｌ，１４Ｒは、いずれも貫通孔である。図２の例においては、２つの取付孔１４Ｌが上下に近接して並ぶとともに、２つの取付孔１４Ｒが上下に近接して並んでいる。
【００１４】
図３は、ユニットカバー１４が取り外された電子機器１の背面側の一例を示す斜視図である。電子機器１は、表示パネル１１の背面（表示面１１ａの反対側の面）を覆うシャーシ１５を備えている。シャーシ１５は、例えば金属板によって形成されている。バックカバー１３はシャーシ１５の上側を覆い、ユニットカバー１４はシャーシ１５の下側、すなわちシャーシ１５のバックカバー１３から露出した部分を覆う。フロントカバー１２、バックカバー１３、及びユニットカバー１４は、ねじ止め或いは爪部の係合などによって、互いに或いはシャーシ１５や表示パネル１１などの他の要素に対して取り外し可能に組み合わされている。
【００１５】
図２及び図３の例において、バックカバー１３は、平坦な板状に形成されている。一方で、ユニットカバー１４は、後方に向けて膨らんだトレイ形状を有しており、シャーシ１５との間に制御基板や電源基板などの電気的なモジュール或いは構造的な要素を収容するための空間を形成する。
【００１６】
図３に示すように、電子機器１は、一対の取付金具１６Ｌ，１６Ｒと、これら取付金具１６Ｌ，１６Ｒを介して本体２に取り付けられた一対の第１支持具２０Ｌ，２０Ｒとを、ユニットカバー１４によって覆われる空間に備えている。さらに、電子機器１は、スタンド３の上部に取り付けられた一対の第２支持具３０Ｌ，３０Ｒを備えている。第１支持具２０Ｌ，２０Ｒは、例えば、第１固定具、第１金具、第１ブラケット、或いは本体側ブラケット等と呼ぶこともできる。第２支持具３０Ｌ，３０Ｒは、例えば、第２固定具、第２金具、第２ブラケット、或いはスタンド側ブラケット等と呼ぶこともできる。
【００１７】
取付金具１６Ｌ，１６Ｒは、シャーシ１５の下方の一部を覆うとともに、シャーシ１５の下縁部１５ａに沿って延びている。このような取付金具１６Ｌ，１６Ｒは、例えば曲げ加工等が施された金属板で構成され、シャーシ１５にねじ止めされている。取付金具１６Ｌ，１６Ｒは、シャーシ１５に取り付けられた図示せぬブラケット等とともに、制御基板や電源基板を保持する。取付金具１６Ｌ，１６Ｒは、本体２が備える「壁部」の一例である。
【００１８】
第１支持具２０Ｌは、取付金具１６Ｌに取り付けられている。第１支持具２０Ｒは、取付金具１６Ｒに取り付けられている。第１支持具２０Ｌ，２０Ｒを取付金具１６Ｌ，１６Ｒに取り付ける方法は例えばねじ止めであるが、爪部同士の係合など他の方法を用いても良い。
【００１９】
スタンド３は、一対の台部３Ｌ，３Ｒを有している。図１乃至図３の例において、スタンド３は長尺な枠状であり、長手方向に対峙する２辺にそれぞれ台部３Ｌ，３Ｒが形成されている。第２支持具３０Ｌは、台部３Ｌの先端に取り付けられている。第２支持具３０Ｒは、台部３Ｒの先端に取り付けられている。
【００２０】
図３の例において、第１支持具２０Ｌ，２０Ｒは、下方が開口した箱状に形成されている。本体２とスタンド３とを取り付ける際には、図３中に矢印で示すように、第１支持具２０Ｌの下方から第２支持具３０Ｌが挿入され、第１支持具２０Ｒの下方から第２支持具３０Ｒが挿入される。さらに、第１支持具２０Ｌと第２支持具３０Ｌ、第１支持具２０Ｒと第２支持具３０Ｌを例えばねじ止めによって固定することにより、本体２とスタンド３とが固定される。
【００２１】
本実施形態において、台部３Ｌと台部３Ｒ、取付金具１６Ｌと取付金具１６Ｒ、第１支持具２０Ｌと第１支持具２０Ｒ、及び、第２支持具３０Ｌと第２支持具３０Ｒは、いずれも対称或いは同一の形状を有している。但し、これらは非対称な形状を有しても良い。
【００２２】
図４及び図５を参照して、第１支持具２０Ｌ，２０Ｒの具体的な形状について説明する。第１支持具２０Ｌ，２０Ｒは概ね同様の形状を備えるため、ここでは第１支持具２０Ｌについて説明し、第１支持具２０Ｒの説明を省略する。
【００２３】
図４は、取付金具１６Ｌに取り付けられた状態の第１支持具２０Ｌの一例を概略的に示す斜視図である。一方で、図５は、取付金具１６Ｌから取り外された状態の第１支持具２０Ｌを、図４とは異なる方向から見た斜視図である。図４に示すように、第１支持具２０Ｌは、取付金具１６Ｌと対向する第１支持板２１を備えている。第１支持板２１は、第１端部２１ａと、第１端部２１ａの反対側の第２端部２１ｂとを有している。図４の例において、第１支持板２１は概ね長方形状であり、第１端部２１ａ及び第２端部２１ｂがこの長方形状の短辺に相当し、第１端部２１ａ及び第２端部２１ｂの間の一対の側部２１ｃ，２１ｄがこの長方形状の長辺に相当する。但し、第１支持板２１の形状は長方形状に限定されない。
【００２４】
第１支持板２１は、第２支持具３０Ｌとの接続用の２つの開口部２１ｅをさらに有している。これら開口部２１ｅは、図２に示したユニットカバー１４の２つの取付孔１４Ｌに対応する間隔で配置されており、これら取付孔１４Ｌを通じてユニットカバー１４の外部に連通する。
【００２５】
第１支持具２０Ｌは、互いに対向する一対の第１側板２２，２３と、天板２４と、取付部２５，２６とをさらに備えている。第１側板２２は、第１支持板２１の側部２１ｃと取付金具１６Ｌとの間を塞ぐ。第１側板２３は、第１支持板２１の側部２１ｄと取付金具１６Ｌとの間を塞ぐ。天板２４は、第１支持板２１の第２端部２１ｂと取付金具１６Ｌとの間を塞ぐ。このように、図４及び図５の例における第１支持具２０Ｌは、第１端部２１ａと取付金具１６Ｌとの間を除き、第１支持板２１と取付金具１６Ｌとの間を第１側板２２，２３及び天板２４が覆う箱状（或いは袋状）に形成されている。図４及び図５の例において、第１側板２２は第１支持板２１の側部２１ｃに接続され、第１側板２３は第１支持板２１の側部２１ｄに接続され、天板２４は第１支持板２１の第２端部２１ｂに接続されている。
【００２６】
取付部２５は、第１側板２２の第１支持板２１が接続された側とは反対側の縁部に接続されている。取付部２６は、第１側板２３の第１支持板２１が接続された側とは反対側の縁部に接続されている。取付部２５はねじ止め用の２つの開口部２５ａを有し、取付部２６はねじ止め用の２つの開口部２６ａを有している。取付金具１６Ｌは、これら開口部２５ａ，２６ａに対応する位置にねじ孔（雌ねじ）を有しており、これらのねじ孔に開口部２５ａ，２６ａ及び座金Ｗ１を介して雄ねじＳ１をねじ込むことで、第１支持具２０Ｌが取付金具１６Ｌに取り付けられる。
【００２７】
図５に示すように、第１支持具２０Ｌは、一対のガイド片２７，２８をさらに備えている。図示した例において、ガイド片２７は第１側板２２の第１側板２３と対向する側の面に沿って設けられており、ガイド片２８は第１側板２３の第１側板２２と対向する側の面に沿って設けられている。これらガイド片２７，２８は板状であり、第１端部２１ａの側から第２端部２１ｂの側に向けて第１支持板２１に近づくように第１支持板２１に対して傾斜している。
【００２８】
図５に示したガイド片２７，２８の裏側の面、すなわち第１支持板２１と対向する側の面は、第１ガイド面Ｆ１ａ，Ｆ１ｂをそれぞれ形成する。第１ガイド面Ｆ１ａ，Ｆ１ｂは、ガイド片２７，２８と同じく、第１端部２１ａの側から第２端部２１ｂの側に向けて第１支持板２１に近づくように第１支持板２１に対して傾斜している。第１ガイド面Ｆ１ａ，Ｆ１ｂは、例えば同一の仮想平面内に位置する平面である。
【００２９】
例えば図５に示すように、ガイド片２７は、天板２４に接続されるとともに第１側板２２に沿って延びる延出部２７０の一部を第１側板２３の方向に曲げることで形成されている。同様に、ガイド片２８は、天板２４に接続されるとともに第１側板２３に沿って延びる延出部２８０の一部を第１側板２２の方向に曲げることで形成されている。
【００３０】
図４に示すように、第１支持板２１は、第１端部２１ａの側に、先端に向かうに連れて取付金具１６Ｌから離れるように傾斜した第１傾斜部２１ｆを備えている。第１側板２２は、第１端部２１ａの側に、先端に向かうに連れて第１側板２３から離れるように傾斜した第２傾斜部２２ａを備えている。第１側板２３は、第１端部２１ａの側に、先端に向かうに連れて第１側板２２から離れるように傾斜した第２傾斜部２３ａを備えている。これら第１傾斜部２１ｆ及び第２傾斜部２２ａ，２３ａにより、第２支持具３０Ｌを第１支持具２０Ｌに挿入するための挿入口を広げることができる。なお、第１支持具２０Ｌが第１傾斜部２１ｆ及び第２傾斜部２２ａ，２３ａのいずれか１つ或いは２つを備える場合であっても同様の作用を得ることができる。
【００３１】
第１支持板２１、第１側板２２，２３、天板２４、取付部２５，２６、ガイド片２７，２８、延出部２７０，２８０、第１傾斜部２１ｆ、及び第２傾斜部２２ａ，２３ａは、例えば１枚の板金を曲げ加工することによって一体的に形成することができる。但し、これら各要素の全て、或いは少なくとも一部が別個の板金などで形成され、ねじ止め或いは溶接などの適宜の手段で接続されても良い。例えば、第１支持板２１は第２支持具２０Ｌと直接的に固定される要素であるために、ある程度の強度が必要とされる。そこで、第１支持板２１を金属材料にて形成し、残りの各要素の全て或いは一部を樹脂材料にて形成しても良い。
【００３２】
続いて、図６を参照して第２支持具３０Ｌ，３０Ｒの具体的な形状について説明する。第２支持具３０Ｌ，３０Ｒは概ね同様の形状を備えるため、ここでは第２支持具３０Ｌについて説明し、第２支持具３０Ｒの説明を省略する。
【００３３】
図６は、スタンド３の台部３Ｌに取り付けられた状態の第２支持具３０Ｌの一例を概略的に示す斜視図である。第２支持具３０Ｌは、台部３Ｌの上面に対して起立した第２支持板３１を備えている。
【００３４】
第２支持板３１は、台部３Ｌの上面の側に位置する第１端部３１ａと、第１端部３１ａの反対側の第２端部３１ｂとを有している。図６の例において、第２端部３１ｂは円弧状に丸められている。第２支持板３１は、例えば、第１端部３１ａと第２端部３１ｂとの間で延びる一対の側部３１ｃ，３１ｄが互いに平行で且つ第１端部３１ａよりも長尺な形状を有している。
【００３５】
第２支持板３１は、２つのねじ孔３１ｅ（雌ねじ）をさらに有している。これらねじ孔３１ｅは、第１支持具２０Ｌの第１支持板２１に設けられた２つの開口部２１ｅ及びユニットカバー１４の２つの取付孔１４Ｌに対応する間隔で配置されており、これら開口部２１ｅ及び取付孔１４Ｌを通じてユニットカバー１４の外部に連通する。
【００３６】
第２支持具３０Ｌは、互いに対向する一対の第２側板３２，３３と、底板３４とをさらに備えている。例えば、第２側板３２は第２支持板３１の側部３１ｃに接続され、第２側板３３は第２支持板３１の側部３１ｄに接続され、底板３４は第２支持板３１の第１端部３１ａに接続されている。
【００３７】
第２側板３２，３３は、互いに平行に延びている。底板３４は、第２側板３２，３３の間に配置され、第２支持板３１の第１端部３１ａに接続されている。図６の例においては、底板３４と台部３Ｌとの間に、第２側板３２，３３に接続された延出部３２０，３３０が介在している。
【００３８】
第２支持具３０Ｌは、底板３４及び延出部３２０，３３０を貫通するねじ止め用の２つの開口部３４ａを有している。台部３Ｌは、各開口部３４ａに対応する位置にねじ孔（後述するねじ孔３ａ）を有しており、これらのねじ孔に開口部３４ａ及び座金Ｗ２を介して雄ねじＳ２をねじ込むことで、第２支持具３０Ｌが台部３Ｌに取り付けられる。
【００３９】
第２支持具３０Ｌは、第１支持具２０Ｌの第１ガイド面Ｆ１ａ，Ｆ１ｂにそれぞれ案内される第２ガイド面Ｆ２ａ，Ｆ２ｂを備えている。図６の例において、第２ガイド面Ｆ２ａは、第２側板３２の第２支持板３１が接続された側と反対側の縁部の一部（上側の一部）に相当し、第２ガイド面Ｆ２ｂは、第２側板３３の第２支持板３１が接続された側と反対側の縁部の一部（上側の一部）に相当する。第２ガイド面Ｆ２ａ，Ｆ２ｂは、例えば同一の仮想平面内に位置する平面であるが、曲面であっても良い。第２ガイド面Ｆ２ａ，Ｆ２ｂは、第１端部３１ａの側から第２端部３１ｂの側に向かうに連れて第２支持板３１に近づくように傾斜している。
【００４０】
第２側板３２は、第２端部３１ｂの側に、先端に向かうに連れて第２側板３３に近づくように傾斜した第３傾斜部３２ａを備えている。第２側板３３は、第２端部３１ｂの側に、先端に向かうに連れて第２側板３２に近づくように傾斜した第３傾斜部３３ａを備えている。これら第３傾斜部３２ａ，３３ａにより、第２支持具３０Ｌ全体の先端形状を先細らせることができる。なお、第２支持具３０Ｌが第３傾斜部３２ａ，３３ａのいずれか一方のみを備える場合であっても同様の作用を得ることができる。
【００４１】
第２支持板３１、第２側板３２，３３、底板３４、及び延出部３２０，３３０は、例えば１枚の板金を曲げ加工することによって一体的に形成することができる。但し、これら各要素の全て、或いは少なくとも一部が別個の板金などで形成され、ねじ止め或いは溶接などの適宜の手段で接続されても良い。例えば、第２支持板３１は第１支持具２０Ｌと直接的に固定される要素であるために、ある程度の強度が必要とされる。そこで、第２支持板３１を金属材料にて形成し、残りの各要素の全て或いは一部を樹脂材料にて形成しても良い。
【００４２】
続いて、本実施形態の作用の一例について説明する。  
図７及び図８は、本実施形態の作用の一例を説明するための図であって、第１支持具２０Ｌ、第２支持具３０Ｌ、取付金具１６Ｌ、台部３Ｌ、及びユニットカバー１４の概略的な断面を示している。
【００４３】
第１支持具２０Ｌは、図４及び図５に示した取付部２５，２６の開口部２５ａ，２６ａと取付金具１６Ｌのねじ孔とを介して、取付金具１６Ｌにねじ止めされている。本体２にユニットカバー１４が取り付けられると、ユニットカバー１４の２つの取付孔１４Ｌと第１支持板２１の２つの開口部２１ｅとがそれぞれ繋がる。図７及び図８の例においては、下側の取付孔１４Ｌは一定の径でユニットカバー１４を貫通しているが、上側の取付孔１４Ｌは第１支持板２１の側で径が小さくなっている。
【００４４】
台部３Ｌは、第２支持具３０Ｌの開口部３４ａに対応する位置に、２つのねじ孔３ａ（雌ねじ）を有している。第２支持具３０Ｌは、これらのねじ孔３ａに開口部３４ａ及び座金Ｗ２を介して雄ねじＳ２をねじ込むことで、台部３Ｌに取り付けられている。
【００４５】
第１ガイド面Ｆ１ａ，Ｆ１ｂは、第１支持板２１に対して角度θ１（０°＜θ１＜９０°）だけ傾いている。第２ガイド面Ｆ２ａ，Ｆ２ｂは、第２支持板３１に対して角度θ２（０°＜θ２＜９０°）だけ傾いている。例えば、角度θ１及び角度θ２は、概ね同一である。
【００４６】
図７は、第１支持具２０Ｌと第２支持具３０Ｌとを固定する前の状態を示している。本体２にスタンド３を取り付ける際には、第１支持具２０Ｌと取付金具１６Ｌとの間に、第１端部２１ａの側から第２支持具３０Ｌを挿入する。このとき、図７に示すように、第２側板３２が第１ガイド面Ｆ１ａと第１支持板２１との間に入る。同様に、第２側板３３が第１ガイド面Ｆ１ｂと第１支持板２１との間に入る。
【００４７】
第２支持具３０Ｌをさらに第１支持具２０Ｌの内部へと挿入すると、第２ガイド面Ｆ２ａが第１ガイド面Ｆ１ａに接触するとともに、第２ガイド面Ｆ２ｂが第１ガイド面Ｆ１ｂに接触する。その後は、第２ガイド面Ｆ２ａが第１ガイド面Ｆ１ａに、第２ガイド面Ｆ２ｂが第１ガイド面Ｆ１ｂにそれぞれ案内され、やがて図８に示すように第２支持板３１の第２端部３１ｂ（第２支持板３１の先端）が天板２４に突き当たる。この状態において、第１支持板２１の２つの開口部２１ｅと、第２支持板３１の２つのねじ孔３１ｅとが概ね対向する。
【００４８】
このとき、ユニットカバー１４の側から、取付孔１４Ｌ、開口部２１ｅ、ねじ孔３１ｅ、及び座金Ｗ３を通じて雄ねじＳ３をねじ込むことにより、第１支持板２１と第２支持板３１とが接続或いは固定される。このようにして、本体２にスタンド３が取り付けられる。
【００４９】
図７及び図８の例においては、上側の取付孔１４Ｌが第１支持板２１の側で径が小さくなっているために、雄ねじＳ３及び座金Ｗ３と第１支持板２１との間にユニットカバー１４の一部が介在する。すなわち、この雄ねじＳ３及び座金Ｗ３は、ユニットカバー１４と第１支持板２１とを接続或いは固定する役割も担う。
【００５０】
図８の例においては、第１支持板２１と第２支持板３１とが密着した状態で、第１ガイド面Ｆ１ａと第２ガイド面Ｆ２ａとの間に隙間が形成されている。同じく、第１ガイド面Ｆ１ｂと第２ガイド面Ｆ２ｂとの間にも隙間が形成される。このように遊びを持たせることで、第１支持具２０Ｌへの第２支持具３０Ｌの挿入がより一層容易になる。第１側板２２，２３と第２側板３２，３３との間にも同様に遊びを持たせても良い。このように遊びを持たせた場合であっても、第１ガイド面Ｆ１ａ，Ｆ１ｂに案内されて第２支持板３１の先端が天板２４に突き当たった際に、２つの開口部２１ｅの位置と２つのねじ孔３１ｅの位置とが概ね一致すれば、ユニットカバー１４の側から挿入される雄ねじＳ３によって第１支持板２１と第２支持板３１とを固定することができる。
【００５１】
図７に示すように、第１支持板２１と第２支持板３１とが平行でない状態で第１支持具２０Ｌに第２支持具３０Ｌが挿入される場合があり得る。この場合であっても、第１ガイド面Ｆ１ａ，Ｆ１ｂが第２ガイド面Ｆ２ａ，Ｆ２ｂを案内するので、挿入を進めるに連れて第１支持板２１と第２支持板３１とが平行になる。したがって、作業者は、第１支持板２１と第２支持板３１との傾きをさほど気にする必要がない。
【００５２】
第１支持具２０Ｌは第１傾斜部２１ｆ及び第２傾斜部２２ａ，２３ａを備えており、これにより第２支持具３０Ｌを第１支持具２０Ｌに挿入するための挿入口が広げられている。さらに、第２支持具３０Ｌは第３傾斜部３２ａ，３３ａを備えている。これらの傾斜部により、挿入時に第１支持具２０Ｌと第２支持具３０Ｌとがずれていた場合であっても、第２支持具３０Ｌが第１支持具２０Ｌの内部へ案内される。したがって、作業者は、挿入時に第１支持具２０と第２支持具３０Ｌとの位置合わせを厳密に行う必要がない。
【００５３】
以上、第１支持具２０Ｌ及び第２支持具３０Ｌに着目して本実施形態の作用の一例を説明したが、第１支持具２０Ｒ及び第２支持具３０Ｒについても同様の作用が得られる。これら第１支持具２０Ｌ，２０Ｒ及び第２支持具３０Ｌ，３０Ｒを備える支持構造或いは電子機器１によれば、上述した種々の好適な作用により、本体２とスタンド３との取り付けに係る作業の効率を大幅に向上することができる。
【００５４】
さらに、第２支持具３０Ｌ，３０Ｒが挿入される空間は、第１支持具２０Ｌ，２０Ｒの第１支持板２１、第１側板２２，２３、天板２４、及び取付金具１６Ｌによってそれぞれ囲われている。したがって、本実施形態に係る支持構造を用いた場合には、この支持構造を介して本体２の内部に微小生物、ねじなどの部品、或いは塵埃などの異物が入ることを防ぐことができる。
【００５５】
電子機器１を構造物の壁面などに掛けて使用するために、本体２からスタンド３が外される場合がある。本実施形態に係る第１支持具２０Ｌ，２０Ｒの構造であれば、この場合であっても同様に、支持構造を介して本体２の内部に異物が入ることを防ぐことができる。  
これらの他にも、本実施形態からは種々の好適な作用が得られる。
【００５６】
（第２実施形態）  
第２実施形態について説明する。本実施形態においては、第１支持具２０Ｌ，２０Ｒに適用し得る他の例を開示する。ここでは第１実施形態との差異に着目し、第１実施形態と同一の構成及び作用については説明を省略することがある。
【００５７】
図９は、本実施形態に係る第１支持具２０Ｌの構成例を示す斜視図である。この第１支持具２０Ｌは、延出部２７０，２８０を備えず、且つガイド片２７，２８が第１側板２２，２３と一体的に設けられている点で、図４及び図５に示したものと相違する。ガイド片２７に関する構造を図示するために、取付部２５の一部を破断している。
【００５８】
第１側板２２，２３は、例えば金属材料で形成されている。ガイド片２７は、第１側板２２に切り目２７ａを設けて、この切り目２７ａに沿う第１側板２２の一部を第２側板２３の側に曲げることで形成されている。ガイド片２８は、第１側板２３に切り目２８ａを設けて、この切り目２８ａに沿う第１側板２３の一部を第２側板２２の側に曲げることで形成されている。
【００５９】
第１支持具２０Ｒについても、図９に示した第１支持具２０Ｌと同様の構造を適用することができる。
【００６０】
本実施形態のようにガイド片２７，２８を形成した場合であっても、第１実施形態と同様の作用を得ることができる。さらに、本実施形態の構造においては、第１実施形態に比べて第１支持具２０Ｌ，２０Ｒの構造を簡略化することができる。
【００６１】
（第３実施形態）  
第３実施形態について説明する。本実施形態においては、第１支持具２０Ｌ，２０Ｒに適用し得るさらに他の例を開示する。ここでは第１実施形態との差異に着目し、第１実施形態と同一の構成及び作用については説明を省略することがある。
【００６２】
図１０は、本実施形態に係る第１支持具２０Ｌの構成例を示す斜視図である。この第１支持具２０Ｌは、延出部２７０，２８０及びガイド片２７，２８を備えず、第１ガイド面が天板２４の一部を曲げることで形成されている点で、図４及び図５に示したものと相違する。
【００６３】
具体的には、少なくとも天板２４が金属材料で形成されるとともに、この天板２４の一部が第１端部２１ａの側に曲げられ、ガイド部２４ａを形成している。ガイド部２４ａの第１支持板２１と対向する側の面は、第１ガイド面Ｆ１を形成する。第１ガイド面Ｆ１は、第１実施形態における第１ガイド面Ｆ１ａ，Ｆ１ｂと同様の役割を担うものであり、第１端部２１ａの側から第２端部２１ｂの側に向けて第１支持板２１に近づくように第１支持板２１に対して傾斜している。
【００６４】
例えば、ガイド部２４ａの第１側板２２側の縁部は第１側板２２に溶接などの手段によって接続されており、ガイド部２４ａの第１側板２３側の縁部は第１側板２３に溶接などの手段によって接続されている。
【００６５】
第１支持具２０Ｒについても、図１０に示した第１支持具２０Ｌと同様の構造を適用することができる。
【００６６】
本実施形態のように第１支持具２０Ｌ，２０Ｒが１つの連続した第１ガイド面Ｆ１を有する場合であっても、第１実施形態と同様の作用を得ることができる。さらに、本実施形態の構造においては、第１実施形態に比べて第１支持具２０Ｌ，２０Ｒの構造を簡略化することができる。
【００６７】
（第４実施形態）  
第４実施形態について説明する。本実施形態においては、第１支持具２０Ｌ，２０Ｒに適用し得るさらに他の例を開示する。ここでは第１実施形態との差異に着目し、第１実施形態と同一の構成及び作用については説明を省略することがある。
【００６８】
図１１は、本実施形態に係る第１支持具２０Ｌの構成例を示す斜視図である。この第１支持具２０Ｌは、延出部２７０，２８０及びガイド片２７，２８を備えず、第１ガイド面が第１側板２２，２３や天板２４と連続しない別個の部材に形成されている点で、図４及び図５に示したものと相違する。本実施形態に特有の構造を図示するために、図１１においては取付部２５の一部を破断している。
【００６９】
具体的には、第１支持具２０Ｌは、ガイド部材２９を備えている。ガイド部材２９は、例えば金属板であり、互いに反対側に位置する縁部にそれぞれ突起２９ａ，２９ｂを有している。
【００７０】
第１側板２２は、突起２９ａを挿入可能なスリット２２ｂを有している。第１側板２３は、突起２９ｂを挿入可能なスリット２３ｂを有している。ガイド部材２９は、破線矢印で示すように、突起２９ａをスリット２２ｂに挿入し、突起２９ｂをスリット２３ｂに挿入することで、第１側板２２，２３に取り付けられる。
【００７１】
図１１に示されたガイド部材２９の主面の反対側の主面は、第１ガイド面Ｆ１を形成する。第１ガイド面Ｆ１は、第１実施形態における第１ガイド面Ｆ１ａ，Ｆ１ｂと同様の役割を担う。第１ガイド面Ｆ１は、ガイド部材２９が第１側板２２，２３に取り付けられた状態において、第１端部２１ａの側から第２端部２１ｂの側に向けて第１支持板２１に近づくように第１支持板２１に対して傾斜している。
【００７２】
第１支持具２０Ｒについても、図１１に示した第１支持具２０Ｌと同様の構造を適用することができる。
【００７３】
本実施形態のように第１支持具２０Ｌ，２０Ｒが１つの連続した第１ガイド面Ｆ１を有する場合であっても、第１実施形態と同様の作用を得ることができる。
【００７４】
（第５実施形態）  
第５実施形態について説明する。本実施形態においては、第２支持具３０Ｌ，３０Ｒに適用し得る他の例を開示する。ここでは第１実施形態との差異に着目し、第１実施形態と同一の構成及び作用については説明を省略することがある。
【００７５】
図１２は、本実施形態に係る第２支持具３０Ｌの構成例を示す斜視図である。この第２支持具３０Ｌは、第２側板３２の第２支持板３１が接続された側と反対側の縁部の略全てが第２ガイド面Ｆ２ａに相当し、第２側板３３の第２支持板３１が接続された側と反対側の縁部の略全てが第２ガイド面Ｆ２ｂに相当する点で、図６に示したものと相違する。
【００７６】
第２支持具３０Ｒについても、図１２に示した第２支持具３０Ｌと同様の構造を適用することができる。第２支持具３０Ｌ，３０Ｒとともに用いられる第１支持具２０Ｌ，２０Ｒは、第２支持具３０Ｌ，３０Ｒを第１支持具２０Ｌ，２０Ｒにそれぞれ挿入する際に、第１ガイド面Ｆ１（Ｆ１ａ，Ｆ１ｂ）が第２ガイド面Ｆ２ａ，Ｆ２ｂに案内されるように、図４及び図５に示したものに比べてその配置位置及び角度が適宜に調整されている。
【００７７】
本実施形態のように第２ガイド面Ｆ２ａ，Ｆ２ｂを形成した場合であっても、第１実施形態と同様の作用を得ることができる。
【００７８】
（第６実施形態）  
第６実施形態について説明する。本実施形態においては、第２支持具３０Ｌ，３０Ｒに適用し得るさらに他の例を開示する。ここでは第１実施形態との差異に着目し、第１実施形態と同一の構成及び作用については説明を省略することがある。
【００７９】
図１３は、本実施形態に係る第２支持具３０Ｌの構成例を示す斜視図である。この第２支持具３０Ｌは、第２側板３２，３３の縁部とは異なる第２ガイド面を備える点で、図６に示したものと相違する。
【００８０】
具体的には、第２支持具３０Ｌは、板状のガイド部材３５を備えている。図示した例において、このガイド部材３５は、一方の端部３５ａが第２側板３２に接続されるとともに、この端部３５ａの反対側の端部３５ｂが第２側板３３の縁部に接している。このようなガイド部材３５は、例えば板金を曲げ加工することによって第２側板３２と一体的に形成することができる。ガイド部材３５の主面（第２支持板３１と対向しない側の面）は、第２ガイド面Ｆ２を形成する。第２ガイド面Ｆ２は、第１実施形態における第２ガイド面Ｆ２ａ，Ｆ２ｂと同様の役割を担うものであり、第１端部３１ａの側から第２端部３１ｂの側に向かうに連れて第２支持板３１に近づくように傾斜している。
【００８１】
第２支持具３０Ｒについても、図１３に示した第２支持具３０Ｌと同様の構造を適用することができる。本実施形態のように第２ガイド面Ｆ２を形成した場合であっても、第１実施形態と同様の作用を得ることができる。
【００８２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００８３】
例えば、支持構造を構成する第１支持具２０Ｌ，２０Ｒ及び第２支持具３０Ｌ，３０Ｒは、第１乃至第６実施形態にて開示した第１支持具２０Ｌ，２０Ｒ及び第２支持具３０Ｌ，３０Ｒの中から適宜に選択することができる。
【００８４】
第１乃至第６実施形態においては、一対の第１支持具２０Ｌ，２０Ｒと、一対の第２支持具３０Ｌ，３０Ｒとを含む支持構造を例示したが、１つの第１支持具と１つの第２支持具とで支持構造が構成されても良い。また、３以上の第１支持具とこれらに対応する３以上の第２支持具とで支持構造が構成されても良い。さらに、支持構造は、本体２をスタンド３に対して回転させるスイベル機構或いはチルト機構を備えても良い。
【符号の説明】
【００８５】
１…電子機器、２…本体、３…スタンド、１０…筐体、１１…表示パネル、１４…ユニットカバー、１５…シャーシ（壁部）、２０Ｌ，２０Ｒ…第１支持具、２１…第１支持板、２１ａ…第１端部、２１ｂ…第２端部、２４…天板、３０Ｌ．３０Ｒ…第２支持具、３１…第２支持板、Ｆ１（Ｆ１ａ，Ｆ１ｂ）…第１ガイド面、Ｆ２（Ｆ２ａ，Ｆ２ｂ）…第２ガイド面。
【図１】
0006402048.tif 000002
【図２】
0006402048.tif 000003
【図３】
0006402048.tif 000004
【図４】
0006402048.tif 000005
【図５】
0006402048.tif 000006
【図６】
0006402048.tif 000007
【図７】
0006402048.tif 000008
【図８】
0006402048.tif 000009
【図９】
0006402048.tif 000010
【図１０】
0006402048.tif 000011
【図１１】
0006402048.tif 000012
【図１２】
0006402048.tif 000013
【図１３】
0006402048.tif 000014